(57)【要約】【課題】  更に異なるキーを増設しても、大型化しにくい通信端末を提供する。【解決手段】  本発明の通信端末は、筐体の前面に表示器、及び多方向キーとは異なる第１キーを有する第１ユニットと、この第１ユニットの前面にスライド自在に取り付けられ、前記第１キーとは異なる第２キーを有する第２ユニットとを備えている。【選択図】      図１
2010041542.tif 000002
【特許請求の範囲】
【請求項１】
筐体の前面に表示器、及び多方向キーとは異なる第１キーを有する第１ユニットと、
この第１ユニットの前面にスライド自在に取り付けられ、前記第１キーとは異なる第２キーを有する第２ユニットとを備えている
ことを特徴とする通信端末。
【請求項２】
前記第２ユニットは、少なくとも、前記第２ユニットが前記第1キーに重なる第１位置と、前記第２ユニットが前記第1キーに重ならない第２位置との間でスライド自在である
ことを特徴とする請求項1に記載の通信端末。
【請求項３】
前記第２ユニットの位置を検知する位置検知センサと、
この位置検知センサが、前記第２ユニットが前記第1位置から前記第２位置へスライドしたことを検知するか、又は、前記第２位置から前記第１位置へスライドしたことを検知すると、予め設定された所定の機能をＯＮする、又は、機能をＯＦＦする制御手段とを
備えることを特徴とする請求項１又は２に記載の通信端末。
【請求項４】
通信端末が縦の状態であるか、否かを検出する状態検出センサを備え、
この状態検出センサで検出した通信端末の状態に応じて、前記制御手段は、前記所定の機能を切り替える
ことを特徴とする請求項３に記載の通信端末。
【請求項５】
前記制御手段は、所定の機能をＯＮする、又は機能を切り替えるときに、露出して入力可能なキーに対し、そのＯＮする機能、又は切り替える機能を操作するための操作機能を割り当てる
ことを特徴とする請求項３又は４に記載の通信端末。
【請求項６】
前記機能は、カメラ機能、テレビ放送受信機能、タッチパネルのタッチ入力機能、ブラウザ機能、メール機能、電話帳機能、日本語入力機能のうち何れかの機能である
ことを特徴とする請求項３乃至５の何れかに記載の通信端末。
【請求項７】
前記第１ユニットの背面に配置したカメラのレンズと、
前記第２ユニットには前記レンズを覆うレンズカバーとを備え、
前記レンズと前記レンズカバーとを、前記第２ユニットが前記第１位置のときにそのレンズカバーは前記レンズと離れた位置となり、前記第２ユニットが前記第２位置のときにそのレンズカバーは前記レンズを覆う位置関係に設定した
ことを特徴とする請求項２乃至６の何れかに記載の通信端末。
【請求項８】
前記第２キーは、多方向キーである
ことを特徴とする請求項１乃至７の何れかに記載の通信端末。
【請求項９】
前記第1キーは、テンキーである
ことを特徴とする請求項１乃至８の何れかに記載の通信端末。
【請求項１０】
前記表示器はタッチパネルである
ことを特徴とする請求項１乃至９の何れかに記載の通信端末。
【請求項１１】
前記第1ユニットの第1キーの配置された面と、前記第２キーの配置された面とを、略同一形状に設定した
ことを特徴とする請求項１乃至１０の何れかに記載の通信端末。
【請求項１２】
多方向キーとは異なる第１キーを有する第１ユニットの前面に、スライド可能に取り付けられ、前記第１キーとは異なる第２キーを有する第２ユニットの位置を検知する位置検知ステップと、
前記位置検知ステップで、第２ユニットが前記第1キーと重なる第１位置から重ならない第２位置にスライドされたことを検知されたとき、又は、前記第２位置から前記第１位置にスライドされたことを検知されたときに、予め設定された所定の機能をＯＮする、又は機能をＯＦＦする制御ステップと
を備えることを特徴とする通信端末の制御方法。
【請求項１３】
通信端末が縦の状態であるか、否かを検出する状態検出ステップを備え、
この状態検出ステップでの通信端末の状態に基づき、前記制御ステップは、前記ＯＮする所定の機能を切り替える
ことを特徴とする請求項１１に記載の通信端末の制御方法。
【請求項１４】
多方向キーとは異なる第1キーを有する第１ユニットの前面に、スライド可能に取り付けられ、前記第1キーとは異なる第２キーを有する第２ユニットの位置を検知する位置検知機能と、
前記位置検知ステップで、第２ユニットが前記第1キーと重なる第１位置から第２位置にスライドされたことを検知されたとき、又は、前記第２位置から前記第１位置にスライドされたことを検知されたときに、予め設定された所定の機能をＯＮする、又は機能をＯＦＦする制御機能と
をコンピュータに実現させるための通信端末のプログラム。
【請求項１５】
通信端末が縦の状態であるか、否かを検出する状態検出機能を備え、
この状態検出機能での通信端末の状態に基づき、前記制御機能は、前記ＯＮする所定の機能を切り替える
ことを特徴とする請求項１４に記載の通信端末のプログラム。
【発明の詳細な説明】
【技術分野】
【０００１】
この発明は、異なるキーを、異なるユニットに分けて配置した通信端末、通信端末の制御方法、および通信端末のプログラムに関する。
【背景技術】
【０００２】
複数の筐体で構成された携帯端末装置は、特開２００５−１３０２１９号公報（特許文献１）に記載されたものがある。
【０００３】
この公報に記載の携帯端末装置は、操作キー（テンキー）を備える第１の筐体と、この第1筐体にスライド可能に支持されると共に、表示器を備える第２の筐体とで構成されている。そして、この携帯端末装置は、第２の筐体を、第１の筐体からスライドさせることで操作キーを露出させ、この操作キーを利用可能とする。
【０００４】
【特許文献１】特開２００５−１３０２１９号公報
【発明の開示】
【発明が解決しようとする課題】
【０００５】
上記の特許文献1に記載の携帯端末装置は、操作キーを備えているが、操作キーとは異なる多方向キーに関する記載は全くない。多方向キーは、携帯端末装置に広く使用されており、この多方向キーを、この携帯端末装置に増設する場合には、更に配置する面積を必要とし、筐体が大型化する恐れがある。
【０００６】
本発明の目的は、上記課題を解決し、更に異なるキーを増設しても、大型化しにくい通信端末を提供することにある。
【課題を解決するための手段】
【０００７】
本発明は上記課題を解決するためのものであって、本発明の通信端末は、
筐体の前面に表示器、及び多方向キーとは異なる第１キーを有する第１ユニットと、
この第１ユニットの前面にスライド自在に取り付けられ、前記第１キーとは異なる第２キーを有する第２ユニットとを備えている
ものである。
【０００８】
また、本発明の通信端末の制御方法は、
多方向キーとは異なる第１キーを有する第１ユニットの前面に、スライド可能に取り付けられ、前記第１キーとは異なる第２キーを有する第２ユニットの位置を検知する位置検知ステップと、
前記位置検知ステップで、第２ユニットが前記第1キーと重なる第1位置から重ならない第２位置にスライドされたことを検知されたとき、又は、前記第２位置から前記第１位置にスライドされたことを検知されたときに、予め設定された所定の機能をＯＮする、又は機能をＯＦＦする制御ステップと
を備えるものである。
【０００９】
更に、本発明の通信端末のプログラムは、
多方向キーとは異なる第1キーを有する第１ユニットの前面に、スライド可能に取り付けられ、前記第１キーとは異なる第２キーを有する第２ユニットの位置を検知する位置検知機能と、
前記位置検知機能で、第２ユニットが前記第1キーと重なる第１位置から重ならない第２位置にスライドされたことを検知されたとき、又は、前記第２位置から前記第１位置にスライドされたことを検知されたときに、予め設定された所定の機能をＯＮする、又は機能をＯＦＦする制御機能と
をコンピュータに実現させるものである。
【発明の効果】
【００１０】
このように構成された本発明によれば、更に異なるキーを増設しても、通信端末を大型化しにくくすることができる。
【発明を実施するための最良の形態】
【００１１】
本発明の第１実施形態について、図1乃至図４に基づき説明する。
【００１２】
図１は、第１実施形態の通信端末を示す正面図である。図２は、通信端末の側面図である。図３は、通信端末の第２ユニットを上にスライドさせた状態を示す正面図である。図４は、通信端末の第２ユニットを上にスライドさせた状態を示す側面図である。
【００１３】
図に示す通信端末１００は、図示しない無線式の通信部を備えた携帯式の通信端末である。この通信端末１００は、第１ユニット１０１と第２ユニット１０２とで構成されている。第１ユニット１０１の正面には、表示器１０４や、第１キー１０５が配置されている。この第１キー１０５は、例えばテンキー又はアルファベットキーであり、多方向キーとは異なるキーである。
【００１４】
第２ユニット１０２の正面には、第２キー１０７が配置されている。この第２キー１０７は、例えば多方向キーであり、カーソルやポインタを上下左右に動かすことができる。
【００１５】
第２ユニット１０２は、第１ユニット１０１の両側部の溝１１１に摺動部１１２が嵌っている。このため、この第２ユニット１０２は、第１ユニット１０１から外れずに、上下にスライドさせることができる。
【００１６】
このように構成された通信端末１００では、第２ユニット１０２が、第１ユニットにスライド自在に取り付けられている。図３に示すように、この第２ユニット１０２を、上にスライドさせた状態、つまり、第２キー１０７と第１キー１０５とが上下に並んだ状態で、これらの両キーを入力することができる。両キーの入力を必要とする場合は、例えば、メールの作成等、日本語入力を必要な場合や、電話をかけるために第１キー１０５を露出させて入力する場合等がある。
【００１７】
また、図１に示すように、第２ユニット１０２を下にスライドさせた状態、つまり、第２キー１０７を第１キー１０５の上に重ねた状態で、第１キー１０５を使わずに第２キー１０７のみを使用するだけで、特定の機能を利用することができる場合がある。この場合は、例えば、カメラ機能の利用時や、テレビ放送受信時や、インターネット接続時におけるブラウザ機能の利用時や、電話をかけるために電話帳から相手を選択する場合等がある。
【００１８】
この通信端末１００では、第２キー１０７のみを使用する際には、この第２ユニット１０２を下にスライドさせた状態でキー入力することができ、また、第２キー１０７及び第１キー１０５を使用する際には、この第２ユニット１０２を上にスライドさせた状態でキー入力することができる。このように、第２ユニットをスライドさせて、第２ユニット１０２の第２キー１０７のみ、あるいは、第２ユニット１０２の第２キー１０７及び第１ユニット１０１の第１キー１０５を使用することができるので、ユニットを大きくすることなく第２キー１０７を配置し、使用することができる。
【００１９】
次に、第２実施形態について、図５乃至図１６に基づいて説明する。
【００２０】
図５は、第２実施形態の通信端末を示す正面図である。図６は、通信端末の背面図である。図７は、通信端末の側面図である。図８は、通信端末の第２ユニットを第２位置にスライドさせた状態を示す正面図である。図９は、通信端末の第２ユニットを第２位置にスライドさせた状態を示す背面図である。図１０は、通信端末の第２ユニットを第２位置にスライドさせた状態を示す側面図である。この第２位置は、第２ユニット７０２がテンキー７０５に重ならない位置である。また、第１位置は、第２ユニット７０２がテンキー７０５に重なる位置である。
【００２１】
通信端末７００は、第1ユニット７０１と第２ユニット７０２とで構成されている。第1ユニット７０１の前面には、上から順に、レシーバとして機能する受話部７０３、縦横比が９：１６のタッチパネルを用いた表示器７０４、第１キーとして使用されるテンキー７０５、マイクを使用した送話部７０６が配置されている。尚、タッチパネルは、画像、図形、文字、記号等の情報を表示出力できる表示機能と、圧力や静電容量等の方式により利用者のタッチによる入力操作を感知するスイッチ機能とを兼ね備えている。また、テンキー７０５は、「０」〜「９」と記載の１０の数字キーと、「＃」と記載のキー及び「＊」と記載のキーも含むため、計１２のキーを備える。更に、テンキー７０５は、５０音字式の日本語入力やアルファベットの入力ができるように、その機能が割り当てられていると共に、その入力の目印となる表示（図示せず）がなされている。
【００２２】
第1ユニット７０１の背面にはカメラのレンズ７１１が配置されており、また、その上部にはアラーム音や音楽再生時に動作するスピーカ部７１２が配置されている。更に、第１ユニット７０１の右側の上部には、サイドキー７１３が配置されている。
【００２３】
第２ユニット７０２には、その前部に、第２キーとして使用される多方向キー７０７と、機能キー７０８とが配置されている。多方向キー７０７は、上下左右方向にカーソルやポインタを動かすための４つの方向キー７０９や、ＯＫであることや決定であることを入力するための中央部の決定キー７１０を備えている。更に、第２ユニット７０２は、その背部７１５に、上へ突出させた形状に形成したレンズカバー７１４を備えている。
【００２４】
第２ユニット７０２を第２位置にスライドさせたときに、レンズカバー７１４は、そのレンズ７１１を覆う（図９参照）。また、第２ユニット７０２を第２位置にスライドさせたときに、第２ユニット７０２の多方向キー７０７及び機能キー７０８と第１ユニット７０１のテンキー７０５は上下に並ぶ（図８参照）。
【００２５】
また、第２ユニット７０２を第１位置にスライドさせたときに、レンズカバー７１４は、そのレンズ７１１から離れた位置になり、レンズ７１１を覆うことはない（図６参照）。また、この第２ユニット７０２を第１位置にスライドさせたときに、その第２ユニット７０２の多方向キー７０７及び機能キー７０８が、第1ユニット７０１のテンキー７０５とほぼ重なる（図５参照）。これは、テンキー７０５の配置された面と、多方向キー７０７の配置された面とは、その正面が、略同一の形状及び面積に設定されているからである。更に、このとき、第２ユニット７０２は表示器７０４に重ならない位置になるので、表示器７０４の全体が露出している。このように第２ユニット７０２を第１位置にスライドさせたときは、第２ユニット７０２が表示器７０４を覆うことはなく、表示器７０４を最大限に利用することができる。
【００２６】
次に、第１ユニット７０１と第２ユニット７０２との電気的な接続状態について説明する。図１１は、第２ユニットを第１位置にスライドさせた状態での両ユニットの接続状態を示す説明図である。また、図１２は、第２ユニットを第２位置にスライドさせた状態での両ユニットの接続状態を示す説明図である。尚、これら図１１や図１２には、表示器７０４以外の構成（各種のキー等）については示していない。
【００２７】
図１１に示すように、第２ユニット７０２を第１位置に（下に）スライドさせている状態では、第１ユニット７０１の第１端子７４０と、第２ユニット７０２の端子７４２とが接続されており、その多方向キー７０７や機能キー７０８の入力信号を第１ユニット７０１の制御部（図１３参照）で受信できる。また、図１２に示すように、第２ユニット７０２を第２位置に（上に）スライドさせている状態では、第１ユニット７０１の第２端子７４１と、第２ユニット７０２の端子７４２とが接続されており、その多方向キー７０７や機能キー７０８の入力信号を第１ユニット７０１の制御部（図１３参照）で受信できる。
【００２８】
尚、第２ユニット７０２と第1ユニット７０１の電気的な接続は、この接続端子を使用する方法以外に、配線で接続する方法も考えられるが、この方法については、説明を省略する。
【００２９】
図１３は、通信端末を示す機能ブロック図である。通信端末７００は、その図５〜図１０で説明したように、受話部７０３と、送話部７０６と、表示器７０４と、スピーカ部７１２とを備える。更に、この通信端末７００は、無線通信部７２０と、カメラ部７２１と、音声処理部７２２と、操作部７２３と、放送受信部７２４と、制御部７２５と、記憶部７２６と、状態検出部７２７と、加速度センサ７２８と、スライドセンサ７２９とを備える。
【００３０】
無線通信部７２０は、アンテナ７３０に接続され、音声通信やデータ通信を無線で行う。カメラ部７２１は、レンズ７１１や図示しないカメラ部品を備え、レンズ７１１からの撮影画像の信号を処理する。音声処理部７２２は、受話部７０３と送話部７０６とに接続され、音声通信の音声を処理する。操作部７２３は、前述した機能キー７０８と、方向キー７０９と、決定キー７１０と、テンキー７０５と、サイドキー７１３とを備える。放送受信部７２４は、アンテナ７３１に接続され、テレビ放送を受信する。制御部７２５はこの通信端末７００全体の制御を行う。また、この制御部７２５は、ＣＰＵ（Central Processing Unit）やその他半導体部品から構成されている。そして、この制御部７２５は、後述する記憶部７２６に格納されている制御プログラムに従って、各部を制御する。
【００３１】
記憶部７２６は、カメラ部７２１での撮影画像を格納したり、他のデータ（電話帳情報、送受信メール情報、発着呼情報、コンテンツ情報、アプリケーションプログラム情報、制御プログラム）や、通信端末７００の諸設定等を格納したりする。状態検出部７２７は、加速度センサ７２８やスライドセンサ７２９に接続されている。この状態検出部７２７は、加速度センサ７２８からの信号により、通信端末７００の傾き状況、具体的には縦の状態か（図１４参照）縦の状態でないか（横の状態、図１５参照）を検出する。即ち、状態検出部７２７と加速度センサ７２８とで、通信端末が縦の状態であるか、否かを検出する状態検出センサの機能を実現する。
【００３２】
更に、この状態検出部７２７は、スライドセンサ７２９からの信号により、第２ユニット７０２が、第1位置から第２位置にスライドされたか、又は、第２位置から第１位置にスライドさせたかを検知する。即ち、状態検出部７２７とスライドセンサ７２９とで、第２ユニットが第1位置から第２位置へスライドしたことを検知するか、又は、第２位置から第１位置へスライドしたことを検知する位置検知センサの機能を実現する。
【００３３】
尚、スライドセンサ７２９は、具体的には、磁気素子又はホール素子を有するセンサや、突出スイッチ又は押下スイッチ等のうちのひとつを利用している。
【００３４】
図１４は、通信端末を縦にした状態で、第２ユニットを第２位置から第１位置にスライドさせたときの動作状態を示す説明図である。図１５は、通信端末を横にした状態で、通信端末の第２ユニットを第２位置から第１位置にスライドさせた動作状態を示す側面図である。
【００３５】
状態検出部７２７が、第２ユニット７０２が第２位置から第１位置にスライドされたことをスライドセンサ７２９からの信号により検知し、更に、通信端末７００が縦になっていることを加速度センサ７２８からの信号により検出すると、制御部７２５は、カメラ機能を起動させる（図１４参照）。このとき、その背面は図６に示すようにレンズ７１１が露出しており、撮影可能な状態になっている。
【００３６】
また、状態検出部７２７が、第２ユニット７０２を第２位置から第１位置へスライドさせたことをスライドセンサ７２９からの信号により検知し、更に、通信端末７００が縦の状態でないこと（横の状態）を加速度センサ７２８からの信号により検出すると、制御部７２５は、テレビ放送受信機能を起動させる（図１５参照）。これにより、ユーザは、テレビ放送を視聴可能となる。
【００３７】
このような通信端末７００の動作について、図１６に基づいて説明する。この図１６は、通信端末の動作を示すフローチャートである。
【００３８】
最初に、ステップ（以下、「ステップ」を「Ｓ」という）１６０１で、第２ユニット７０２が第２位置から第１位置にスライドされたか否かを、状態検出部７２７が検知する。スライドされたと検知されない場合は（Ｓ１６０１でＮＯ）、再度、状態検出部７２７はスライドされたか否かを調べる。状態検出部７２７によりスライドされたことが検知されると（Ｓ１６０１でＹＥＳ）、Ｓ１６０２で、制御部７２５は、そのスライドに対してある特定の機能を起動させる設定があるかないかを判別する。ある機能を起動させる設定がない場合（Ｓ１６０２でＮＯ）、制御は終了する。
【００３９】
ある機能を起動させる設定がされているときは（Ｓ１６０２でＹＥＳ）、次に、Ｓ１６０３で、状態検出部７２７は、加速度センサ７２８の信号から通信端末７００が縦の状態であるか否かを検出する。通信端末７００が縦の状態であると検出されると（Ｓ１６０３でＹＥＳ）、制御部７２５は、表示器７０４に「カメラ機能を起動します。」とメッセージを表示させてユーザに報知（図１４参照）した後、カメラ機能を起動させる（Ｓ１６０４）。更にこのとき、制御部７２５は、方向キー７０９や決定キー７１０、そしてサイドキー７１３を、カメラ機能を利用する際の機能キーに割り当てる。
【００４０】
例えば、制御部７２５は、決定キー７１０をシャッターキーとして割り当て、また、上下の方向キー７０９を、ズームキーとして割り当て、左右の方向キー７０９を、露光をプラスやマイナスに設定するためのキーとして割り当てる。更に、制御部７２５は、機能キー７０８や決定キー７１０やサイドキー７１３に、撮影サイズの設定、撮影シーンの設定、セルフタイマーの設定、ストロボの設定、バーコードリーダーを起動させる設定のキーとして割り当てることもできる。
【００４１】
Ｓ１６０３で、通信端末７００が縦の状態ではないと検出されると（Ｓ１６０３でＮＯ）、通信端末７００は横の状態であり、制御部７２５は、表示器７０４に「テレビ機能を起動します。」とメッセージを表示させてユーザに報知（図１５参照）した後、テレビ放送受信機能を起動させる（Ｓ１６０５）。更にこのとき、制御部７２５は、方向キー７０９や決定キー７１０、そしてサイドキー７１３を、テレビ受信機能を利用する際の機能キーに割り当てる。
【００４２】
例えば、制御部７２５は、上下の方向キー７０９を、音量を大小に設定するためのキーに割り当て、左右の方向キー７０９を、チャンネルを進めるキーや戻すキーとして割り当てる。また、制御部７２５は、機能キー７０８や決定キー７１０やサイドキー７１３に、表示サイズ（全面表示、そうでない表示）の設定キー、機能キー（キャプチャ、字幕、画質調整、各種設定）として割り当てることもできる。
【００４３】
カメラ機能、又はテレビ放送受信機能が起動されたら、第２ユニット７０２のスライドの検知に基づく制御は終了する。
【００４４】
このように構成された通信端末７００では、第２ユニット７０２を第1位置や第２位置にスライドさせて、多方向キー７０７のみ、あるいは、多方向キー７０７及びテンキー７０５を使用することができるので、ユニットの大きさを大きくすることなく多方向キー７０７を配置し、使用することができる。
【００４５】
また、この通信端末７００では、特定の機能をＯＮするタイミングを、その第２ユニット７０２が第２位置から第1位置へスライドされたタイミングで行っているので、予め起動させる機能を設定しておくことにより、多数ある機能のうち所望の機能のひとつを第２ユニット７０２のスライドのタイミングで起動させることができる。
【００４６】
また、通信端末７００が縦の状態か、縦の状態でない（横の状態）かを、加速度センサ７２８からの信号により状態検出部７２７が検出し、この検出結果に基づいて、制御部７２５は、ＯＮする機能を切り替える。このため、通信端末７００の状態に応じて適した機能を自動的にＯＮさせることができる。これにより、通信端末７００を、ユーザにとってより使い易いものとすることができる。
【００４７】
尚、この実施形態では、第２ユニット７０２のスライドが検知されたタイミングで、予め設定された機能を起動させる（ＯＮする）例で説明したが、スライドが検知されたタイミングで、逆に起動中の機能をＯＦＦするよう制御を設定することもできる。
【００４８】
例えば、第２ユニット７０２のスライドが検知されたことで起動した（ＯＮした）カメラ機能又はテレビ放送受信機能を、その第２ユニット７０２が第1位置から第２位置にスライドされると、ＯＦＦするように制御を設定することもできる。これにより、ユーザは、キー操作を行わずに、起動中の機能をＯＦＦとする制御を行うことができ、機能のＯＦＦを容易に行うことができる。
【００４９】
また、この通信端末７００のレンズカバー７１４は、第２ユニット７０２の背部７１５から上へ突出させた形状に形成されている。しかし、レンズカバー７１４の異なる実施形態として、第２ユニット７０２の背部７１５だけでレンズ７１１を覆うことができるようにして、この背部７１５を、レンズカバーとして利用することもできる。この場合、レンズ７１１と背部７１５とを、第２ユニット７０２が第１位置のときにその背部７１５はレンズ７１１と離れた位置（レンズ７１１を露出させる位置）となり、第２ユニット７０２が第２位置のときにその背部７１５はレンズ７１１を覆う位置となる関係に設定する必要がある。
【００５０】
次に、第３実施形態について、図１７と図１８とに基づき説明する。ハードウエアの構成は、第２実施形態の通信端末とほぼ同じであるため、その説明を省略し、図１７と図１８とだけを使用して説明する。図１７は、第３実施形態の通信端末において、第２ユニットを第２位置から第１位置にスライドさせたときの動作状態を示す説明図である。図１８は、通信端末の動作を示すフローチャートである。
【００５１】
この第３実施形態の通信端末７００では、第２ユニット７０２が、第２位置から第１位置にスライドされた場合に、タッチパネルを使用している表示器７０４のタッチパネル機能（タッチにより入力を受け付ける機能）がＯＮに制御される。この設定は、初期設定でなされている。あるいは、ユーザによって、第２ユニット７０２を第２位置から第１位置にスライドさせた際の制御として、タッチパネル機能をＯＮするよう設定できる。表示器７０４のタッチパネル機能がＯＮされると、ユーザは、その指先１７０１によるタッチ入力や、スタイラスペン１７０２によるタッチ入力が可能になる。
【００５２】
この第３実施形態の通信端末７００において、第２ユニット７０２をスライドさせたときの動作を図１８に基づいて説明する。
【００５３】
Ｓ１８０１で、第２ユニット７０２が第２位置から第1位置にスライドされたことを、状態検出部７２７が検知すると（Ｓ１８０１でＹＥＳ）、Ｓ１８０２で、制御部７２５は、表示器７０４のタッチに関する設定がなされているか否かを判別する。表示器７０４のタッチに関する設定がなされていなければ（Ｓ１８０２でＮＯ）、第２ユニット７０２のスライドに基づく制御は終了する。表示器７０４のタッチに関する設定がなされていれば（Ｓ１８０２でＹＥＳ）、Ｓ１８０３で、制御部７２５は、表示器７０４でのタッチパネル機能をＯＮにする。表示器７０４でのタッチによる入力がＯＮとなると、ユーザの指先１７０１によるタッチ入力や、スタイラスペン１７０２による入力が可能になる。
【００５４】
表示器７０４でのタッチパネル機能がＯＮされた後は、Ｓ１８０４で、状態検出部７２７は、第１位置から第２位置にスライドされたか否かを検知する。スライドが検出されないと（Ｓ１８０４でＮＯ）、制御部７２５は、Ｓ１８０３で、タッチパネル機能をＯＮのままにする。また、スライドが検知されると（Ｓ１８０４でＹＥＳ）、制御部７２５は、Ｓ１８０５で、タッチパネル機能をＯＦＦにする。そして、ＯＦＦされた後は、第２ユニット７０２のスライドに基づく制御は終了する。
【００５５】
このように、この通信端末７００では、第２ユニット７０２が、第1位置から第２位置へスライドされたとき、又は、第２位置から第１位置へのスライドされたときに、特定の機能がＯＮ、又はＯＦＦされる。このため、ユーザは、キー操作を行わずに、特定の機能をＯＮすることができ、又は、起動中の機能をＯＦＦすることができ、ユーザは、機能のＯＮ／ＯＦＦを容易に行うことができる。
【００５６】
更に、第４実施形態について、図１９と図２０とに基づき説明する。ハードウエアの構成は、第２実施形態の通信端末とほぼ同じであるため、第３実施形態と同様にその説明を省略し、図１９と図２０とだけを使用して説明する。図１９は、第４実施形態の通信端末において、第２ユニットを第１位置から第２位置にスライドさせたときの動作状態を示す説明図である。図２０は、通信端末の動作を示すフローチャートである。
【００５７】
この第４実施形態の通信端末７００では、その通信端末７００の第２ユニット７０２が第１位置から第２位置にスライドされた場合に、日本語入力機能がＯＮに制御され、第２ユニット７０２が、第２位置から第１位置にスライドされた場合に、日本語入力機能がＯＦＦに制御される。
【００５８】
この第４実施形態の通信端末７００において、第２ユニット７０２を第１位置から第２位置にスライドさせたときの動作を図２０に基づいて説明する。
【００５９】
Ｓ２００１で、第２ユニット７０２が第１位置から第２位置にスライドされたことを状態検出部７２７が検知すると（Ｓ２００１でＹＥＳ）、Ｓ２００２で、制御部７２５は、日本語入力の設定がなされているか否かを判別する。日本語入力の設定がなされていなければ（Ｓ２００２でＮＯ）、第２ユニット７０２のスライドに基づく制御は終了する。日本語入力の設定がなされていれば（Ｓ２００２でＹＥＳ）、制御部７２５は、Ｓ２００３で、日本語入力機能をＯＮにする。日本語入力機能がＯＮになると、ユーザは、方向キー７０９や決定キー７１０やテンキー７０５を使用して日本語を入力することが可能になる。尚、テンキー７０５は、日本語を入力するために使用され、方向キーは、表示された日本語変換候補を選択するために利用される。
【００６０】
日本語入力機能がＯＮにされた後は、Ｓ２００４で、第２ユニット７０２が第２位置から第１位置にスライドされたか否かを、状態検出部７２７が検知する。スライドが検知されないと（Ｓ２００４でＮＯ）、制御部７２５は、日本語入力機能をＯＮのままにする。また、スライドが検知されると（Ｓ２００４でＹＥＳ）、Ｓ２００５で、制御部７２５は、日本語入力機能をＯＦＦにする。そして、ＯＦＦにした後は、第２ユニット７０２のスライドに基づく制御は終了する。
【００６１】
このように、この通信端末７００では、第２ユニット７０２を、第１位置から第２位置にスライドさせたタイミングで特定の機能をＯＮにし、第２位置から第１位置にスライドさせたタイミングで特定の機能をＯＦＦにするように制御することもできる。このため、ユーザは、キー操作を行わずに、特定の機能をＯＮ／ＯＦＦすることができ、ユーザは機能のＯＮ／ＯＦＦを容易に行うことができる。
【００６２】
これら第1乃至第４実施形態では、ＯＮ又はＯＦＦする機能として、カメラ機能、テレビ放送受信機能、タッチパネルのタッチ入力機能、そして日本語入力機能を設定する例で説明したが、この他の機能として、インターネット接続時のブラウザ機能、メール機能、電話帳機能（電話帳の閲覧や編集等）、コンテンツ再生機能（ダウンロードした動画の再生等）を設定することもできる。
【図面の簡単な説明】
【００６３】
【図１】第１実施形態の通信端末を示す正面図である。
【図２】同通信端末の側面図である。
【図３】同通信端末の第２ユニットを上にスライドさせた状態を示す正面図である。
【図４】同通信端末の第２ユニットを上にスライドさせた状態を示す側面図である。
【図５】第２実施形態の通信端末を示す正面図である。
【図６】同通信端末の背面図である。
【図７】同通信端末の側面図である。
【図８】同通信端末の第２ユニットを第２位置にスライドさせた状態を示す正面図である。
【図９】同通信端末の第２ユニットを第２位置にスライドさせた状態を示す背面図である。
【図１０】同通信端末の第２ユニットを第２位置にスライドさせた状態を示す側面図である。
【図１１】第２ユニットを第１位置にスライドさせた状態での両ユニットの接続状態を示す説明図である。
【図１２】第２ユニットを第２位置にスライドさせた状態での両ユニットの接続状態を示す説明図である。
【図１３】同通信端末を示す機能ブロック図である。
【図１４】同通信端末を縦にした状態で、第２ユニットを第２位置から第１位置にスライドさせたときの動作状態を示す説明図である。
【図１５】同通信端末を横にした状態で、第２ユニットを第２位置から第１位置にスライドさせたときの動作状態を示す説明図である。
【図１６】同通信端末の動作を示すフローチャートである。
【図１７】第３実施形態の通信端末において、第２ユニットを第２位置から第１位置にスライドさせたときの動作状態を示す説明図である。
【図１８】同通信端末の動作を示すフローチャートである。
【図１９】第４実施形態の通信端末において、第２ユニットを第１位置から第２位置にスライドさせたときの動作状態を示す説明図である。
【図２０】同通信端末の動作を示すフローチャートである。
【符号の説明】
【００６４】
１００    通信端末
１０１    第１ユニット
１０２    第２ユニット
１０４    表示器
１０５    第１キー
１０７    第２キー
１１１    溝
１１２    摺動部
７００    通信端末
７０１    第１ユニット
７０２    第２ユニット
７０３    受話部
７０４    表示器
７０５    テンキー
７０６    送話部
７０７    多方向キー
７０８    機能キー
７０９    方向キー
７１０    決定キー
７１１    レンズ
７１２    スピーカ部
７１３    サイドキー
７１４    レンズカバー
７１５    背部
７２０    無線通信部
７２１    カメラ部
７２２    音声処理部
７２３    操作部
７２４    放送受信部
７２５    制御部
７２６    記憶部
７２７    状態検出部
７２８    加速度センサ
７２９    スライドセンサ
７３０    アンテナ
７３１    アンテナ
７４０    第１端子
７４１    第２端子
７４２    端子
【図１】
2010041542.tif 000003
【図２】
2010041542.tif 000004
【図３】
2010041542.tif 000005
【図４】
2010041542.tif 000006
【図５】
2010041542.tif 000007
【図６】
2010041542.tif 000008
【図７】
2010041542.tif 000009
【図８】
2010041542.tif 000010
【図９】
2010041542.tif 000011
【図１０】
2010041542.tif 000012
【図１１】
2010041542.tif 000013
【図１２】
2010041542.tif 000014
【図１３】
2010041542.tif 000015
【図１４】
2010041542.tif 000016
【図１５】
2010041542.tif 000017
【図１６】
2010041542.tif 000018
【図１７】
2010041542.tif 000019
【図１８】
2010041542.tif 000020
【図１９】
2010041542.tif 000021
【図２０】
2010041542.tif 000022